(57)【要約】【課題】スピーカ装置とＰＨＳ端末との間の通話を、ＰＨＳ端末から起動することのできる電話システムを提供する。【解決手段】複数の移動端末と、無線により移動端末と接続される基地局と、音声出力および音声入力を行うスピーカ装置と、基地局およびスピーカ装置と接続され、移動端末とスピーカ装置の間の通話を制御する制御装置とを備えた電話システムを、制御装置が、移動端末を特定する移動端末識別番号と、スピーカ装置を特定するスピーカ識別番号と、移動端末から入力される接点特番とを対応付けて記憶する接続管理テーブルを備え、移動端末から入力された接点特番を受信すると、接続管理テーブルに基づき、受信した接点特番に対応する移動端末識別番号の移動端末と、スピーカ装置識別番号のスピーカ装置とを通話接続するように構成する。【選択図】  図５
2012205150.tif 000002
【特許請求の範囲】
【請求項１】
複数の移動端末と、
無線により前記複数の移動端末と接続される基地局と、
音声出力および音声入力を行うスピーカ装置と、
前記基地局および前記スピーカ装置と接続され、前記移動端末と前記スピーカ装置の間の通話を制御する制御装置とを備えた電話システムであって、
前記制御装置は、少なくとも制御部と記憶部とを備え、
前記記憶部は、前記移動端末を特定する移動端末識別番号と、前記スピーカ装置を特定するスピーカ識別番号と、前記移動端末から入力される接点特番とを対応付けて記憶する接続管理テーブルを備え、
前記制御部は、前記移動端末から入力された前記接点特番を受信すると、前記接続管理テーブルに基づき、前記受信した接点特番に対応する、前記移動端末識別番号の移動端末と前記スピーカ装置識別番号のスピーカ装置とを通話可能に接続することを特徴とする電話システム。
【発明の詳細な説明】
【技術分野】
【０００１】
本発明は、例えば、構内ＰＨＳ（Personal  Handyphone  System）システムや構内電話システムを含む構内無線システム等の電話システムにおいて、通話機能を備えたスピーカ装置とＰＨＳ端末との間で通話することのできる電話システムに関する。
【背景技術】
【０００２】
従来の、例えば構内ＰＨＳシステムにおいては、制御装置に、通話機能を備えた複数のスピーカ装置と、基地局と、接点起動装置と、保守端末とが有線により接続されている。さらに基地局には、移動端末としての複数のＰＨＳ端末が無線により接続されている。スピーカ装置は、マイクとスピーカを備え、ＰＨＳ端末と通話することができる。
制御装置内には、複数のスピーカ装置のいずれかと複数のＰＨＳ端末のいずれかとを接続する接点ＩＦ（インタフェース）が設けられており、接点起動装置の有する複数の接点のうち１つを操作者がＯＦＦ-ＯＮする（ＯＦＦ状態からＯＮ状態にする）ことにより、複数のスピーカ装置のいずれかと複数のＰＨＳ端末のいずれかとが接続され、スピーカ装置とＰＨＳ端末の間の通話が可能となる。また、スピーカ装置と複数のＰＨＳ端末の間のグループ通話も可能である。
【０００３】
また、制御装置内の記憶部は、接続管理テーブルを有し、接続管理テーブルには、接点起動装置の接点番号と、スピーカ装置の番号と、ＰＨＳ端末の番号とが対応付けられて、複数格納されている。接続管理テーブルの例を図６に示す。図６は、従来例に係る接続管理テーブルの構成例を示す図である。図６において、例えば、接点１にはスピーカ装置Ｓ１とＰＨＳ端末Ｐ１が対応付けられている。これは、接点起動装置の接点１がＯＦＦ-ＯＮされると、スピーカ装置Ｓ１とＰＨＳ端末Ｐ１とが通話可能状態にされることを意味する。
なお、上述の接続管理テーブルの内容は、上記保守端末により、設定や変更を行うことができる、つまり、接点起動装置の接点番号と、スピーカ装置の番号と、ＰＨＳ端末の番号との対応付けについて、設定や変更を行うことができるようになっている。
【０００４】
従来の構内ＰＨＳシステムにおける動作フローチャートを図７に示す。図７は、従来例に係る制御装置の動作フローチャートである。図７に示すように、まず、操作者が接点起動装置の接点の１つをＯＦＦ-ＯＮする（ステップＳ７１）。すると、制御装置内の制御部が、どの接点がＯＦＦ-ＯＮされたかを判定し（ステップＳ７２）、図６の接続管理テーブルを参照して、ＯＦＦ-ＯＮされた接点に対応するスピーカ装置とＰＨＳ端末を認識し、該対応するＰＨＳ端末を基地局を介して呼び出す（ステップＳ７３）とともに、該ＰＨＳ端末の回線と対応するスピーカ装置の回線との間を接続し、該スピーカ装置と呼び出されたＰＨＳ端末との間で通話が行われるようにする（ステップＳ７４）。
【０００５】
下記の特許文献１には、任意の端末装置に同報通知メッセージを表示させる構内ＰＨＳシステムにおいて、端末装置から同報通知メッセージの内容を変更できる技術が開示されている。
【先行技術文献】
【特許文献】
【０００６】
【特許文献１】特開２００９‐２７８１５１公報
【発明の概要】
【発明が解決しようとする課題】
【０００７】
上述した従来の構内ＰＨＳシステムにおいては、スピーカ装置とＰＨＳ端末との間で通話を行う場合、接点起動装置から所望の接点をＯＦＦ-ＯＮする必要があり、操作者が接点起動装置の設置場所へ行って操作しなければならないといった課題があった。
【０００８】
本発明は、このような従来の課題を解決するために為されたもので、操作者が接点起動装置の操作を行わなくても、スピーカ装置とＰＨＳ端末との間の通話を、ＰＨＳ端末から起動することのできる電話システムを提供することを目的とする。
【課題を解決するための手段】
【０００９】
上記課題を解決するための、本願発明に係る電話システムの代表的な構成である第１の発明は次のとおりである。すなわち、
複数の移動端末と、
無線により前記複数の移動端末と接続される基地局と、
音声出力および音声入力を行うスピーカ装置と、
前記基地局および前記スピーカ装置と接続され、前記移動端末と前記スピーカ装置の間の通話を制御する制御装置とを備えた電話システムであって、
前記制御装置は、少なくとも制御部と記憶部とを備え、
前記記憶部は、前記移動端末を特定する移動端末識別番号と、前記スピーカ装置を特定するスピーカ識別番号と、前記移動端末から入力される接点特番とを対応付けて記憶する接続管理テーブルを備え、
前記制御部は、前記移動端末から入力された前記接点特番を受信すると、前記接続管理テーブルに基づき、前記受信した接点特番に対応する、前記移動端末識別番号の移動端末と前記スピーカ装置識別番号のスピーカ装置とを通話可能に接続することを特徴とする電話システム。
【００１０】
なお、上記の第１の発明において、前記移動端末を特定する移動端末識別番号は、複数の移動端末から構成されるグループを特定するグループ識別番号である第２の発明とすることもできる。その場合は、グループ識別番号と該グループ識別番号に属する複数の移動端末とを対応付けて記憶するグループ管理テーブルを、前記記憶部に格納しておく。
【００１１】
また、上記の第１の発明又は第２の発明において、前記制御部は、前記移動端末から入力された前記接点特番を受信すると、前記接続管理テーブルに基づき、前記受信した接点特番に対応する前記移動端末識別番号の移動端末と、前記スピーカ装置識別番号のスピーカ装置と、前記接点特番を入力した移動端末とを通話可能に接続する第３の発明とすることもできる。
【００１２】
また、上記の第１の発明ないし第３の発明において、第１、第２の移動端末間あるいは第１の移動端末と第１のスピーカ装置の間で通話中に、第３の移動端末から接点特番が入力され制御装置へ送信されると、制御装置の制御部は、第１又は第２の移動端末、あるいは第１のスピーカ装置が、前記受信した接点特番に対応する移動端末又はスピーカ装置である場合は、前記第１、第２の移動端末間あるいは第１の移動端末と第１のスピーカ装置との間の通話を中止し、前記受信した接点特番に対応する移動端末又はスピーカ装置との間の通話に切り替える第４の発明とすることもできる。
なお、第４の発明において、前記第３の移動端末は、前記第１又は第２の移動端末であってもよいし、それ以外の移動端末であってもよい第５の発明とすることもできる。
【００１３】
また、上記の第１の発明ないし第５の発明において、制御装置の制御部は、移動端末から入力された接点特番を受信すると、前記受信した接点特番に対応する移動端末とスピーカ装置とが既に通話接続中である場合は、接点入力をＯＦＦとみなし、前記受信した接点特番に対応する移動端末とスピーカ装置との通話接続作業を行わず、前記受信した接点特番に対応する移動端末とスピーカ装置とが通話接続中でない場合は、接点入力をＯＦＦ-ＯＮとみなし、前記受信した接点特番に対応する移動端末とスピーカ装置との通話接続作業を行う第６の発明とすることもできる。
【発明の効果】
【００１４】
上記の第１の発明によれば、接点起動装置の操作を行わなくても、ＰＨＳ端末からスピーカ装置とＰＨＳ端末との間の通話を起動することができる。
【図面の簡単な説明】
【００１５】
【図１】本発明の実施形態に係る構内無線システムの構成例を示す図である。
【図２】本発明の実施形態に係るスピーカ装置の構成例を示す図である。
【図３】本発明の実施形態に係るＰＨＳ端末の構成例を示す図である。
【図４】本発明の実施形態に係る接続管理テーブルの構成例を示す図である。
【図５】本発明の実施形態に係る制御装置の動作フローチャートである。
【図６】従来例に係る接続管理テーブルの構成例を示す図である。
【図７】従来例に係る制御装置の動作フローチャートである。
【発明を実施するための形態】
【００１６】
まず、本発明の実施形態の一例である電話システムの構成について、図１を参照しながら説明する。図１は、本実施形態の電話システムの一例である構内無線システムの構成ブロック図である。本例の電話システム（本システム）は、図１に示すように、制御装置１０と、保守端末２０と、接点起動装置３０と、通話機能を備えた複数のスピーカ装置４０と、基地局５０と、移動端末である複数のＰＨＳ端末６０とを備えている。
【００１７】
保守端末２０は、図示しない操作部や表示部を備え、後述する接続管理テーブルの内容の設定や変更を行うものである。接点起動装置３０は、前述の従来例における接点起動装置と同じものであり、操作者からの接点入力を受け付けるものである。
【００１８】
スピーカ装置４０も前述の従来例におけるスピーカ装置と同じものであり、図２に示すように、音声出力装置であるスピーカ４３や音声入力装置であるマイク４４を備える。図２は、本実施形態に係るスピーカ装置の構成例を示す図である。図２に示すように、スピーカ装置４０の制御部４１には、スピーカ４３やマイク４４、記憶部４２、送受信ＩＦ（インタフェース）４６が接続されており、制御部４１はこれらの制御を行う。送受信ＩＦ４６は、制御装置１０と接続されており、制御装置１０との間で各種情報の送受信を行う。
【００１９】
基地局５０は、複数のＰＨＳ端末６０と無線により接続されており、ＰＨＳ端末６０との間で各種情報の無線による送受信を行う。また、基地局５０は、制御装置１０と接続されており、制御装置１０との間で各種情報の送受信を行う。
【００２０】
ＰＨＳ端末６０は、図３に示すように、制御部６１と、記憶部６２と、音声出力装置であるスピーカ６３と、音声入力装置であるマイク６４と、操作部６５と、送受信部６６と、アンテナ６７とを備える。図３は、本実施形態に係るＰＨＳ端末の構成例を示す図である。図２に示すように、制御部６１には、記憶部６２、スピーカ６３、マイク６４、操作部６５、送受信部６６が接続されており、制御部６１はこれらの制御を行う。送受信部６６は、アンテナ６７を介して、基地局５０との間で各種情報の送受信を行う。
【００２１】
制御装置１０は、構内ＰＨＳシステム全体の交換制御や、ＰＨＳ端末６０間の通話、又はＰＨＳ端末６０とスピーカ装置４０の間の通話等の制御を行うものである。図１に示すように、制御装置１０は、制御部１１と、記憶部１２と、接点ＩＦ（インタフェース）１３と、基地局ＩＦ（インタフェース）１４とを備えている。
制御部１１は、ＣＰＵ（Central  Processing  Unit）を備え、記憶部１２、接点ＩＦ１３、基地局ＩＦ１４、保守端末２０と接続されており、保守端末２０および制御装置１０全体の制御を行うものである。記憶部１２内には、制御部１１の動作プログラムが格納されており、ＣＰＵは、この動作プログラムに従って動作する。
【００２２】
接点ＩＦ１３は、複数のスピーカ装置４０と接続されており、複数のスピーカ装置４０のいずれかと複数のＰＨＳ端末６０のいずれかとを接続するためのものである。接点起動装置３０の有する複数の接点のうち１つを操作者がＯＦＦ-ＯＮする（ＯＦＦ状態からＯＮ状態にする）と、どの接点がＯＮ状態にされたかを示す接点情報が、接点ＩＦ１３を介して制御部１１に読み込まれる。制御部１１は、該読み込んだ接点情報により、複数のスピーカ装置４０のいずれかと複数のＰＨＳ端末６０のいずれかとを通話可能になるよう接続し、これにより、該接続されたスピーカ装置４０とＰＨＳ端末６０との間の通話が可能となる。また、スピーカ装置４０と複数のＰＨＳ端末６０との間のグループ通話も可能である。
【００２３】
また、記憶部１２は、後述の図４に示す接続管理テーブルを有し、接続管理テーブルには、ＰＨＳ端末６０から入力される接点特番と、接点起動装置３０の接点番号と、スピーカ装置４０の番号と、ＰＨＳ端末６０の番号とが対応付けられて、複数格納されている。なお、スピーカ装置４０の番号の代わりに、スピーカ装置４０が接続されたスピーカ回線の番号を格納してもよい。また、ＰＨＳ端末６０の番号の代わりに、ＰＨＳ端末６０が接続されたＰＨＳ端末回線の番号を格納してもよい。
接点特番は、操作者によりＰＨＳ端末６０へ入力され、基地局５０を介して制御装置１０へ送信されるものである。制御装置１０の制御部１１は、接点特番を受信すると、該受信した接点特番に対応するスピーカ装置４０とＰＨＳ端末６０の間で通話状態となるように制御する。
このように、接続管理テーブルには少なくとも、移動端末を特定する移動端末識別番号としてのＰＨＳ端末６０の番号と、スピーカ装置を特定するスピーカ識別番号としてのスピーカ装置４０の番号と、移動端末から入力される接点特番とを対応付けて記憶している。
【００２４】
なお、図４に示す接続管理テーブルにおいて、ＰＨＳ端末６０の番号の代わりに複数のＰＨＳ端末６０で構成されるグループ番号を設定することもできる。グループ番号を設定した場合は、該グループ番号に属する複数のＰＨＳ端末６０とスピーカ装置４０との間が通話状態となるよう制御される。
【００２５】
図４は、本実施形態に係る接続管理テーブルの構成例を示す図である。図４において、例えば、接点特番９０には、接点１とスピーカ装置Ｓ１とＰＨＳ端末Ｐ１が対応付けられている。これは、接点起動装置の接点１がＯＦＦ-ＯＮされると、スピーカ装置Ｓ１とＰＨＳ端末Ｐ１とが通話可能状態に制御されることを意味する。また、任意のＰＨＳ端末６０から接点特番９０が入力されると、スピーカ装置Ｓ１とＰＨＳ端末Ｐ１とが通話可能状態に制御されることを意味する。
なお、上述の接続管理テーブルの内容は、上記保守端末２０により、設定や変更を行うことができる、つまり、接点特番と、接点起動装置３０の接点番号と、スピーカ装置４０の番号と、ＰＨＳ端末６０の番号との対応付けについて、設定や変更を行うことができるようになっている。例えば、図４の接続管理テーブルにおいて、接点特番９０を他の特番、例えば９８に変えることもできる。また、接点特番９０に対応するＰＨＳ端末６０の番号Ｐ１を他のＰＨＳ端末６０の番号、例えばＰ１０に変えることもでき、あるいはグループ番号のＰ１００に変えることもできる。
【００２６】
次に、本実施形態に係る構内ＰＨＳシステムの動作について説明する。
本実施形態に係る構内ＰＨＳシステムにおける動作フローチャートを図５に示す。図５は、本実施形態に係る制御装置の動作フローチャートである。図５に示すように、まず、操作者が任意のＰＨＳ端末６０から所望の接点特番を入力する（ステップＳ１）と、入力された接点特番が、基地局５０を介して、制御装置１０へ送信される。接点特番を受信すると、制御装置１０の制御部１１は、接続管理テーブルを参照して、受信した接点特番の接点が既にＯＮ状態であるかＯＦＦ状態であるかを判定する、つまり、前記入力された接点特番に対応するＰＨＳ端末６０とスピーカ装置４０とが既に通話接続中あるか否かを判定する（ステップＳ２）。
【００２７】
入力された接点特番の接点が既にＯＮ状態である場合、つまり、前記入力された接点特番に対応する移動端末６０とスピーカ装置４０とが既に通話接続中である場合は（ステップＳ２でＯＮ）、接点入力ＯＦＦと判定、つまり、接点特番の入力がなかったものと判定し（ステップＳ６）、新たな呼出をしない、つまり、前記受信した接点特番に対応するＰＨＳ端末６０とスピーカ装置４０との通話接続作業を行わない（ステップＳ７）。
【００２８】
入力された接点特番の接点がＯＦＦ状態である場合、つまり、前記入力された接点特番に対応するＰＨＳ端末６０とスピーカ装置４０とが通話接続中でない場合は（ステップＳ２でＯＦＦ）、接点入力ＯＮと判定、つまり、接点特番の入力があったものと判定し（ステップＳ３）、該接点特番に対応するＰＨＳ端末６０とスピーカ装置４０の呼出を行う、つまり、前記受信した接点特番に対応するＰＨＳ端末６０とスピーカ装置４０との通話接続作業を行う（ステップＳ４）。これにより、接点特番が入力されたＰＨＳ端末６０と、該接点特番に対応するＰＨＳ端末６０およびスピーカ装置４０の三者との間での通話が行われる（ステップＳ５）。
【００２９】
なお、上述した実施形態においては、制御部１１は、接点特番が入力されたＰＨＳ端末６０と、該接点特番に対応するＰＨＳ端末６０およびスピーカ装置４０の三者との間での通話が行われるように制御したが、接点特番に対応するＰＨＳ端末６０およびスピーカ装置４０の二者との間での通話が行われるよう制御することもできる。
また、上述した実施形態において、ＰＨＳ端末６０から接点特番が入力された場合、制御装置１０の制御部１１は、接続管理テーブルを参照し、入力された接点特番に対応する接点起動装置３０の接点番号を特定するが、このとき、実際に接点起動装置３０の接点をＯＮするように制御してもよいし、あるいは、実際には接点起動装置３０の接点をＯＮせずに、接点特番に対応するＰＨＳ端末６０およびスピーカ装置４０との間での通話が行われるように制御してもよい。
【００３０】
なお、本発明は、前記実施形態に限定されるものではなく、その要旨を逸脱しない範囲で種々に変更が可能であることはいうまでもない。
また、本発明は、本発明に係る処理を実行するシステムとしてだけでなく、装置、方法として、或いは、このような方法やシステムを実現するためのプログラムや当該プログラムを記録する記録媒体などとして把握することができる。
【符号の説明】
【００３１】
１０…制御装置、１１…制御部、１２…記憶部、１３…接点ＩＦ、１４…基地局ＩＦ、２０…保守端末、３０…接点起動装置、４０…スピーカ装置、４１…スピーカ装置制御部、４２…スピーカ装置記憶部、４３…スピーカ、４４…マイク、４６…送受信ＩＦ、５０…基地局、６０…ＰＨＳ端末、６１…ＰＨＳ端末制御部、６２…ＰＨＳ端末記憶部、６３…スピーカ、６４…マイク、６５…操作部、６６…送受信部。
【図１】
2012205150.tif 000003
【図２】
2012205150.tif 000004
【図３】
2012205150.tif 000005
【図４】
2012205150.tif 000006
【図５】
2012205150.tif 000007
【図６】
2012205150.tif 000008
【図７】
2012205150.tif 000009